(57)【要約】【課題】  本発明は、ガイドワイヤの挿入性を維持しつつ、ガイドワイヤの回転性能（ガイドワイヤの操作性）を向上させ、かつ、樹脂層の先端から剥離する（めくれる）恐れも低減したガイドワイヤを提供することを課題とする。【解決手段】ガイドワイヤ１では、樹脂層４０が、コイル体３０の外周を被覆し、太い外径Ｄ１を有する後端部４２と、後端部４２よりも先端側でコアシャフト１０とコイル体３０との間に位置し、後端部４２よりも細い外径Ｄ２を有する先端部４６と、後端部４２と先端部４６との間で先端側に向かって外径がＤ１からＤ２へと縮径するテーパ部４４と、を有し、かつ、先端部４６でのコイル体３０は、樹脂層４０に被覆されておらず、露出している。これにより、ガイドワイヤ１の挿入性を維持しつつ、ガイドワイヤ１の回転性能（ガイドワイヤ１の操作性）を向上させ、かつ、樹脂層４０が、その先端４７から剥離する（めくれる）恐れも低減できる。 【選択図】図１
2018042652.tif 000002
【特許請求の範囲】
【請求項１】
コアシャフトと、
前記コアシャフトの外周に巻回されたコイル体と、
前記コイル体の外周を被覆し、太い外径を有する後端部と、前記後端部よりも先端側で前記コアシャフトと前記コイル体との間に位置し、前記後端部よりも細い外径を有する先端部と、前記後端部と前記先端部との間で先端側に向かって外径が縮径するテーパ部と、を有する樹脂層と、を備え、
前記先端部での前記コイル体は、前記樹脂層に被覆されておらず、露出していることを特徴としたガイドワイヤ。
【請求項２】
前記樹脂層の前記先端部は、前記コアシャフトに固着されていることを特徴とした請求項１に記載のガイドワイヤ。
【請求項３】
前記樹脂層の前記先端部には、前記先端部の前記外径よりも太い外径を有する膨隆部が設けられていることを特徴とした請求項１又は請求項２に記載のガイドワイヤ。
【請求項４】
前記樹脂層の前記テーパ部と前記樹脂層の前記後端部との境界に、前記コアシャフトと前記コイル体と前記樹脂層とを固着する固着部を備えていることを特徴とした請求項１乃至請求項３の何れか一に記載のガイドワイヤ。
【請求項５】
前記コイル体は、複数の素線が螺旋状に巻回されて形成されており、
前記樹脂層の前記先端部は、横断面視において、前記コイル体の隣接する前記素線間に入り込んでいることを特徴とした請求項１乃至請求項４の何れか一に記載のガイドワイヤ。
【請求項６】
前記コイル体は、前記樹脂層の前記後端部に位置する細いコイル外径を有する小径部と、前記樹脂層の前記先端部に位置し、前記小径部よりも太いコイル外径を有する大径部と、前記樹脂層の前記テーパ部に位置し、先端側に向かってコイル外径が拡径する拡径部と、を有しており、
前記コイル体の前記大径部での前記コイル外径は、前記樹脂層の前記後端部での外径よりも大きくなっていることを特徴とした請求項１乃至請求項５の何れか一に記載のガイドワイヤ。
【発明の詳細な説明】
【技術分野】
【０００１】
本発明は、血管や消化器官に挿入されるガイドワイヤに関するものである。
【背景技術】
【０００２】
従来、血管、胆管、膵管等に狭窄部又は閉塞部が形成されると、血液、胆汁（胆液）、膵液等の流れが悪くなってしまう。このような狭窄部又は閉塞部を治療する方法として、カテーテルを用いた治療方法が広く行われている。【０００３】
一般に、カテーテルを狭窄部又は閉塞部に導くために、ガイドワイヤが用いられる。ガイドワイヤと血管、胆管、膵管等の管壁との摩擦抵抗が高い場合、手技者は、ガイドワイヤを狭窄部又は閉塞部まで挿入することが困難になる。そこで、ガイドワイヤを狭窄部又は閉塞部まで挿入し易くするために、コイル体全長に亘って、コイル体の外周を被覆する樹脂層を備えたガイドワイヤが知られている（例えば、下記特許文献１及び特許文献２を参照）。【０００４】
特許文献１のガイドワイヤでは、コイル体の外周に全長に亘って樹脂膜（樹脂層）が被覆されている。同様に、特許文献２のガイドワイヤでは、コイル体の外周に全長に亘って樹脂被膜層が被覆されている。【０００５】
このようなガイドワイヤでは、摩擦抵抗を下げることができるため、ガイドワイヤを狭窄部又は閉塞部まで挿入し易い一方、コイル体全長が樹脂層に被覆されていることで、ガイドワイヤの回転性能が悪い（ガイドワイヤの操作性が乏しい）という問題や、ガイドワイヤの先端部の剛性が高くなり易いという問題があった。
【先行技術文献】
【特許文献】
【０００６】
【特許文献１】特開２００７−７５５３１号公報
【特許文献２】特開２００８−３０７３６７号公報
【発明の概要】
【発明が解決しようとする課題】
【０００７】
本発明は、このような事情に鑑みてなされたものであり、ガイドワイヤの挿入性を維持しつつ、ガイドワイヤの回転性能（ガイドワイヤの操作性）を向上させ、かつ、樹脂層の先端から剥離する（めくれる）恐れも低減したガイドワイヤを提供することを課題とする。
【課題を解決するための手段】
【０００８】
上記課題は、以下に列挙される手段により解決がなされる。【０００９】
本発明の態様１は、コアシャフトと、前記コアシャフトの外周に巻回されたコイル体と、前記コイル体の外周を被覆し、太い外径を有する後端部と、前記後端部よりも先端側で前記コアシャフトと前記コイル体との間に位置し、前記後端部よりも細い外径を有する先端部と、前記後端部と前記先端部との間で先端側に向かって外径が縮径するテーパ部と、を有する樹脂層と、を備え、前記先端部での前記コイル体は、前記樹脂層に被覆されておらず、露出していることを特徴としたガイドワイヤ。【００１０】
本発明の態様２は、前記樹脂層の前記先端部は、前記コアシャフトに固着されていることを特徴とした態様１に記載のガイドワイヤ。【００１１】
本発明の態様３は、前記樹脂層の前記先端部には、前記先端部の前記外径よりも太い外径を有する膨隆部が設けられていることを特徴とした態様１又は態様２に記載のガイドワイヤ。【００１２】
本発明の態様４は、前記樹脂層の前記テーパ部と前記樹脂層の前記後端部との境界に、前記コアシャフトと前記コイル体と前記樹脂層とを固着する固着部を備えていることを特徴とした態様１乃至態様３の何れか一に記載のガイドワイヤ。【００１３】
本発明の態様５は、前記コイル体は、複数の素線が螺旋状に巻回されて形成されており、前記樹脂層の前記先端部は、横断面視において、前記コイル体の隣接する前記素線間に入り込んでいることを特徴とした態様１乃至態様４の何れか一に記載のガイドワイヤ。【００１４】
本発明の態様６は、前記コイル体は、前記樹脂層の前記後端部に位置する細いコイル外径を有する小径部と、前記樹脂層の前記先端部に位置し、前記小径部よりも太いコイル外径を有する大径部と、前記樹脂層の前記テーパ部に位置し、先端側に向かってコイル外径が拡径する拡径部と、を有しており、前記コイル体の前記大径部での前記コイル外径は、前記樹脂層の前記後端部での外径よりも大きくなっていることを特徴とした態様１乃至態様５の何れか一に記載のガイドワイヤ。
【発明の効果】
【００１５】
本発明の態様１のガイドワイヤでは、コイル体の外周を被覆し、太い外径を有する後端部と、後端部よりも先端側でコアシャフトとコイル体との間に位置し、後端部よりも細い外径を有する先端部と、を有する樹脂層を備え、先端部でのコイル体が、樹脂層に被覆されておらず、露出している構成とした。これにより、ガイドワイヤの挿入性を維持しつつ、ガイドワイヤの回転性能（ガイドワイヤの操作性）を向上させ、かつ、樹脂層が先端から剥離する（めくれる）恐れも低減することができる。【００１６】
本発明の態様２のガイドワイヤでは、樹脂層の先端部が、コアシャフトに固着されているため、ガイドワイヤを湾曲した血管、胆管、膵管等に挿入した場合でも、樹脂層の先端がコイル体から外部に突出する恐れや、樹脂層が先端から剥離する（めくれる）恐れを低減することができる。【００１７】
本発明の態様３のガイドワイヤでは、樹脂層の先端部に、先端部の外径よりも太い外径を有する膨隆部が設けられている。そのため、ガイドワイヤを湾曲した血管、胆管、膵管等に挿入した際に、樹脂層が先端から剥離しよう（めくれよう）とした場合でも、樹脂層の先端部に設けられた膨隆部がコイル体の内周面に引っ掛かって、アンカー効果により、樹脂層が剥離する（めくれる）恐れを更に低減することができる。【００１８】
本発明の態様４のガイドワイヤでは、樹脂層のテーパ部と樹脂層の後端部との境界に、コアシャフトとコイル体と樹脂層とを固着する固着部が設けられている。ガイドワイヤを狭窄部又は閉塞部まで挿入する際、樹脂層のテーパ部と樹脂層の後端部との境界で、血管、胆管、膵管等の管壁との摩擦抵抗が高くなる。予め、固着部により樹脂層をコイル体及びコアシャフトと固着されているため、ガイドワイヤの挿入時におけるテーパ部と後端部との境界での樹脂層の剥離（めくれ）を低減することができる。【００１９】
本発明の態様５のガイドワイヤでは、コイル体が、複数の素線が螺旋状に巻回されて形成されており、樹脂層の先端部は、横断面視において、コイル体の隣接する素線間に入り込んでいる。そのため、樹脂層の先端部とコイル体とのアンカー効果により、樹脂層の剥離（めくれ）を更に低減することができる。【００２０】
本発明の態様６のガイドワイヤでは、コイル体が、樹脂層の後端部に位置する細いコイル外径を有する小径部と、樹脂層の先端部に位置し、小径部よりも太いコイル外径を有する大径部と、樹脂層のテーパ部に位置し、先端側に向かってコイル外径が拡径する拡径部と、を有しており、コイル体の大径部でのコイル外径は、樹脂層の後端部での外径よりも大きくなっている。そのため、ガイドワイヤを湾曲した血管、胆管、膵管等に挿入した場合でも、樹脂層のテーパ部と樹脂層の後端部との境界が、血管、胆管、膵管等の管壁に接触する恐れが低減され、その結果、ガイドワイヤの挿入時におけるテーパ部と後端部との境界での樹脂層の剥離（めくれ）を更に低減することができる。
【図面の簡単な説明】
【００２１】
【図１】図１は、第１の実施形態のガイドワイヤを示した図である。
【図２】図２は、図１のＡ−Ａ断面図である。
【図３】図３は、図１のＢ−Ｂ断面図である。
【図４】図４は、図１のＣ−Ｃ断面図である。
【図５】図５は、第２の実施形態のガイドワイヤを示した図である。
【図６】図６は、第３の実施形態のガイドワイヤを示した図である。
【図７】図７は、第４の実施形態のガイドワイヤを示した図であり、図６の変形例である。
【図８】図８は、第５の実施形態のガイドワイヤを示した図である。
【図９】図９は、第６の実施形態のガイドワイヤを示した図である。
【図１０】図１０は、図９のＤ−Ｄ断面図である。
【図１１】図１１は、第７の実施形態のガイドワイヤの図１０相当の断面図である。
【図１２】図１２は、第８の実施形態のガイドワイヤを示した図である。
【発明を実施するための形態】
【００２２】
図１〜図４を参照しつつ、第１の実施形態のガイドワイヤ１を説明する。図１では、図示左側が体内に挿入される先端側（遠位側）、右側が医師等の手技者によって操作される後端側（近位側）になっている。図２は、図１のＡ−Ａ断面を示した図であり、図３は、図１のＢ−Ｂ断面を示した図であり、図４は、図１のＣ−Ｃ断面を示した図である。
【００２３】
ガイドワイヤ１は、例えば、カテーテルを狭窄部又は閉塞部に導くために用いられるガイドワイヤである。図１に示すように、ガイドワイヤ１は、主に、コアシャフト１０と、先端固着部２０と、コイル体３０と、樹脂層４０と、からなる。
【００２４】
コアシャフト１０は、ステンレス鋼（ＳＵＳ３０４、ＳＵＳ３１６等）やＮｉ−Ｔｉ合金の超弾性合金等で形成されている。
【００２５】
コイル体３０は、コアシャフト１０の外周に、放射線不透過性を有する素線３１を巻回して形成されている。コイル体３０を構成する素線３１に用いる材料として、例えば、金、白金、タングステン、これらの元素からなる合金等が挙げられる。コイル体３０が放射線不透過性の素線３１で形成されていることで、手技者は、放射線透視画像下でコイル体３０の位置を把握することができる。
【００２６】
先端固着部２０は、コアシャフト１０の先端とコイル体３０の先端とを固着しており、ロウ材（アルミニウム合金ロウ、銀ロウ、金ロウ等）や金属ハンダ（Ａｕ−Ｓｎ合金、Ａｇ−Ｓｎ合金等）で形成されている。
【００２７】
樹脂層４０は、コイル体３０の外周を被覆し、太い外径Ｄ１を有する後端部４２と、後端部４２よりも先端側でコアシャフト１０とコイル体３０との間に位置し、後端部４２よりも細い外径Ｄ２を有する先端部４６と、後端部４２と先端部４６との間で先端側に向かって外径がＤ１からＤ２へと縮径するテーパ部４４と、を有する。
【００２８】
この樹脂層４０に用いる材料として、ポリウレタン、ポリエチレン、ポリ塩化ビニル、ポリエステル、ポリプロピレン、ポリアミド、ＰＴＦＥ等のフッ素系樹脂、シリコン樹脂等が挙げられる。
【００２９】
図１及び図２に示すように、樹脂層４０の先端部４６は、コアシャフト１０とコイル体３０との間に位置する。図１及び図３に示すように、樹脂層４０のテーパ部４４は、先端側でコイル体３０の内部に位置する一方、後端側でコイル体３０の外周に位置する。図１及び図４に示すように、樹脂層４０の後端部４２は、コイル体３０の外周に位置する。
【００３０】
コイル体３０の外周面３５は、先端側では樹脂層４０に被覆されておらず、露出している一方、後端側では樹脂層４０のテーパ部４４と後端部４２とに被覆されている（図１を参照）。そのため、樹脂層４０の先端部４６でのコイル体３０は、樹脂層４０に被覆されておらず、露出している。
【００３１】
そのため、ガイドワイヤ１は、樹脂層４０の後端部４２でガイドワイヤ１の挿入性を維持しつつ、樹脂層４０に被覆されず、露出したコイル体３０でガイドワイヤ１の回転性能（ガイドワイヤ１の操作性）を向上させることができる。また、樹脂層４０の先端部４６がコイル体３０の内部に位置するため、ガイドワイヤ１を血管、胆管、膵管等に挿入した際に、樹脂層４０が、その先端４７から剥離する（めくれる）恐れも低減することができる。
【００３２】
次に、図５を参照しつつ、第２の実施形態のガイドワイヤ２を説明する。図１に示したガイドワイヤ１との相違点のみを説明すると、ガイドワイヤ２では、樹脂層４０ａは、コイル体３０の外周を被覆し、太い外径Ｄ１を有する後端部４２ａと、後端部４２ａよりも先端側でコアシャフト１０とコイル体３０との間に位置し、後端部４２ａよりも細い外径Ｄ３を有する先端部４６ａと、後端部４２ａと先端部４６ａとの間で先端側に向かって外径がＤ１からＤ３へと縮径するテーパ部４４ａと、を有する。そして、樹脂層４０ａの先端部４６ａが、コアシャフト１０に固着されている。
【００３３】
そのため、ガイドワイヤ２を湾曲した血管、胆管、膵管等に挿入した場合でも、樹脂層４０ａの先端４７ａがコイル体３０の素線３１間から外部に突出する恐れや、樹脂層４０ａが、その先端４７ａから剥離する（めくれる）恐れを更に低減することができる。
【００３４】
次に、図６を参照しつつ、第３の実施形態のガイドワイヤ３を説明する。図５に示したガイドワイヤ２との相違点のみを説明すると、ガイドワイヤ３では、樹脂層４０ｂが、後端部４２ａとテーパ部４４ａと先端部４６ａとを有しており、この先端部４６ａの先端４７ａには、先端部４６ａの外径Ｄ３よりも太い外径Ｄ４を有する膨隆部５０が設けられている。そして、樹脂層４０ｂの先端部４６ａ及び膨隆部５０は、コアシャフト１０に固着されている。
【００３５】
ガイドワイヤ３では、膨隆部５０は、樹脂層４０ｂと同じ材料で一体的に形成されているが、これに限定されない。膨隆部５０は、樹脂層４０ｂの先端部４６ａとは異なる材料により、形成しても良い。
【００３６】
膨隆部５０が、樹脂層４０ｂの先端４７ａに設けられていることで、ガイドワイヤ３を湾曲した血管、胆管、膵管等に挿入した際に、樹脂層４０ｂが先端４７ａから剥離しよう（めくれよう）とした場合でも、樹脂層４０ｂの先端部４６ａに設けられた膨隆部５０がコイル体３０の内周面３６に引っ掛かって、アンカー効果により、樹脂層４０ｂが剥離する（めくれる）恐れを更に低減することができる。
【００３７】
なお、図６に示したガイドワイヤ３では、樹脂層４０ｂの先端部４６ａ及び膨隆部５０が、コアシャフト１０に固着されている。しかし、これに限定されず、図７の第４の実施形態のガイドワイヤ４に示すように、膨隆部５０ａのみがコアシャフト１０に固着されていても良い。図１に示したガイドワイヤ１との相違点のみを説明すると、ガイドワイヤ４では、樹脂層４０ｃが、後端部４２とテーパ部４４と先端部４６とを有しており、この先端部４６の先端４７には、先端部４６の外径Ｄ２よりも太い外径Ｄ４を有する膨隆部５０ａが設けられている。
【００３８】
ガイドワイヤ４では、膨隆部５０ａは、樹脂層４０ｃと同じ材料で一体的に形成されているが、これに限定されない。膨隆部５０ａは、樹脂層４０ｃの先端部４６とは異なる材料により、形成しても良い。
【００３９】
膨隆部５０ａが、樹脂層４０ｃの先端４７に設けられていることで、ガイドワイヤ４を湾曲した血管、胆管、膵管等に挿入した際に、樹脂層４０ｃが先端４７から剥離しよう（めくれよう）とした場合でも、樹脂層４０ｃの先端部４６に設けられた膨隆部５０ａがコイル体３０の内周面３６に引っ掛かって、アンカー効果により、樹脂層４０ｃが剥離する（めくれる）恐れを更に低減することができる。
【００４０】
次に、図８を参照しつつ、第５の実施形態のガイドワイヤ５を説明する。図１に示したガイドワイヤ１との相違点のみを説明すると、ガイドワイヤ５では、樹脂層４０のテーパ部４４と樹脂層４０の後端部４２との境界に、コアシャフト１０とコイル体３０と樹脂層４０とを固着する固着部６０が設けられている。
【００４１】
ガイドワイヤ５では、予め、固着部６０により、樹脂層４０が、コイル体３０及びコアシャフト１０と固着されている。これにより、ガイドワイヤ５を狭窄部又は閉塞部まで挿入する際、樹脂層４０のテーパ部４４と樹脂層４０の後端部４２との境界で、血管、胆管、膵管等の管壁との摩擦抵抗が高くなる場合でも、ガイドワイヤ５の挿入時に、テーパ部４４と後端部４２との境界で、樹脂層４０が剥離する（めくれる）ことを更に低減することができる。
【００４２】
なお、ガイドワイヤ５では、固着部６０として、接着剤を用いているが、その材料は、特に限定されない。
【００４３】
次に、図９を参照しつつ、第６の実施形態のガイドワイヤ６を説明する。図１に示したガイドワイヤ１との相違点のみを説明すると、ガイドワイヤ６では、コイル体３０ａが、１０本の素線３１ａが螺旋状に巻回されて形成されている（図１０を参照）。また、図９に示すように、樹脂層４０ｄは、コイル体３０ａの外周を被覆し、太い外径Ｄ１を有する後端部４２ｂと、後端部４２ｂよりも先端側でコアシャフト１０とコイル体３０ａとの間に位置し、後端部４２ｂよりも細い外径Ｄ５を有する先端部４６ｂと、後端部４２ｂと先端部４６ｂとの間で先端側に向かって外径がＤ１からＤ５へと縮径するテーパ部４４ｂと、を有する。
【００４４】
図９のＤ−Ｄ断面である図１０に示すように、樹脂層４０ｄの先端部４６ｂは、横断面視において、コイル体３０ａの隣接する素線３１ａの素線間３２に入り込んでいる。
【００４５】
これにより、ガイドワイヤ６では、樹脂層４０ｄの先端部４６ｂとコイル体３０aとのアンカー効果により（言い換えると、樹脂層４０ｄの先端部４６ｂが、隣接する素線３１ａの素線間３２に引っ掛かっていることで）、樹脂層４０の先端部４６ｂが剥離する（めくれる）ことを更に低減することができる。
【００４６】
なお、図１０に示したガイドワイヤ６では、コイル体３０ａが、１０本の素線３１ａが螺旋状に巻回されて形成されている。しかし、これに限定されず、図１１の第７の実施形態のガイドワイヤ７に示すように、コイル体３０ａの代わりに、７本の素線３１ｂを螺旋状に巻回された撚線３１ｃを予め準備しておき、この撚線３１ｃを１０本束ねて螺旋状に巻回されて形成されてコイル体３０ｂを用いても良い。このとき、図１１に示すように、樹脂層４０ｅの先端部４６ｃは、横断面視において、コイル体３０ｂの隣接する撚線３１ｃの素線間３２ａに入り込んでいる。
【００４７】
これにより、ガイドワイヤ７では、樹脂層４０ｅの先端部４６ｃとコイル体３０ｂとのアンカー効果により（言い換えると、樹脂層４０ｅの先端部４６ｃが、隣接する撚線３１ｃの素線間３２ａに引っ掛かっていることで）、樹脂層４０ｅの先端部４６ｃが剥離する（めくれる）ことを更に低減することができる。
【００４８】
コイル体３０ａを構成する素線３１ａ、又は、コイル体３１ｂを構成する素線３１ｂに用いる材料として、ガイドワイヤ１の素線３０と同様に、例えば、金、白金、タングステン、これらの元素からなる合金等が挙げられる。なお、コイル体３０ａを構成する素線３１ａの本数は、１０本に限定されず、複数本であれば良い。また、コイル体３０ｂを構成する撚線３１ｃの本数も、１０本に限定されず、複数本であれば良い。更に、この撚線３１ｃを構成する素線３１ｂの本数も、７本に限定されず、複数本であれば良い。
【００４９】
次に、図１２を参照しつつ、第８の実施形態のガイドワイヤ８を説明する。図５に示したガイドワイヤ２との相違点のみを説明すると、ガイドワイヤ８では、コイル体３０ｃが、樹脂層４０ａの後端部４２ａに位置する細いコイル外径Ｄ６を有する小径部６２と、樹脂層４０ａの先端部４６ａに位置し、小径部６２よりも太いコイル外径Ｄ７を有する大径部６６と、樹脂層４０ａのテーパ部４４ａに位置し、先端側に向かってコイル外径がＤ６からＤ７へと拡径する拡径部６４と、を有している。また、コイル体３０ｃの大径部６６でのコイル外径Ｄ７は、樹脂層４０ａの後端部４２ａでの外径Ｄ１よりも大きくなっている（Ｄ７＞Ｄ１）。
【００５０】
そのため、ガイドワイヤ８を湾曲した血管、胆管、膵管等に挿入した場合でも、樹脂層４０ａのテーパ部４４ａと樹脂層４０ａの後端部４２ａとの境界が、血管、胆管、膵管等の管壁に接触する恐れが低減され、その結果、ガイドワイヤ８の挿入時における樹脂層４０ａの剥離（めくれ）を更に低減することができる。
【００５１】
なお、ガイドワイヤ３、４と同様に、ガイドワイヤ５、６、７、８において、先端部４６、４６ａ、４６ｂ、４６ｃの先端４７、４７ａ、４７ｂに、膨隆部５０、５０ａを設けても良い。
【００５２】
また、ガイドワイヤ５と同様に、ガイドワイヤ２、３、４、６、７、８において、テーパ部４４ａ、４４ｂと後端部４２ａ、４２ｂとの境界に、コアシャフト１０とコイル体３０、３０ａ、３０ｂ、３０ｃと樹脂層４０ａ〜４０ｅとを固着する固着部６０を設けても良い。
【００５３】
更に、ガイドワイヤ８と同様に、ガイドワイヤ１、３、４、５、６、７において、コイル体３０、３０ａ、３０ｂが、樹脂層４０〜４０ｅの後端部４２、４２ａ、４２ｂに位置する細いコイル外径Ｄ６を有する小径部６２と、樹脂層４０〜４０ｅの先端部４６〜４６ｃに位置し、小径部６２よりも太いコイル外径Ｄ７を有する大径部６６と、樹脂層４０〜４０ｅのテーパ部４４、４４ａ、４４ｂに位置し、先端側に向かってコイル外径がＤ６からＤ７へと拡径する拡径部６４と、を有し、かつ、コイル体３０、３０ａ、３０ｂの大径部６６でのコイル外径Ｄ７が、樹脂層４０〜４０ｅの後端部４２、４２ａ、４２ｂでの外径Ｄ１よりも大きくしても良い（Ｄ７＞Ｄ１）。
【００５４】
なお、上記で説明したガイドワイヤ１〜８では、樹脂層４０〜４０ｅの先端部４６〜４６ｃの先端４７、４７ａ、４７ｂは、先端固着部２０から後端側に離間していたが、これに限定されない。例えば、樹脂層４０〜４０ｅの先端部４６〜４６ｃの先端４７、４７ａ、４７ｂと先端固着部２０とを互いに固着しても良い。
【符号の説明】
【００５５】
１〜８                                        ガイドワイヤ
１０                                          コアシャフト
２０                                          先端固着部
３０、３０ａ、３０ｂ、３０ｃ                  コイル体
３１、３１ａ、３１ｂ                          素線
３１ｃ                                        撚線
３２、３２ａ                                  素線間
３５                                          外周面
４０、４０ａ、４０ｂ、４０ｃ、４０ｄ、４０ｅ  樹脂層
４２、４２ａ、４２ｂ                          後端部
４４、４４ａ、４４ｂ                          テーパ部
４６、４６ａ、４６ｂ、４６ｃ                  先端部
４７、４７ａ、４７ｂ                          先端
５０、５０ａ                                  膨隆部
６０                                          固着部
６２                                          小径部
６４                                          拡径部
６６                                          大径部
【図１】
2018042652.tif 000003
【図２】
2018042652.tif 000004
【図３】
2018042652.tif 000005
【図４】
2018042652.tif 000006
【図５】
2018042652.tif 000007
【図６】
2018042652.tif 000008
【図７】
2018042652.tif 000009
【図８】
2018042652.tif 000010
【図９】
2018042652.tif 000011
【図１０】
2018042652.tif 000012
【図１１】
2018042652.tif 000013
【図１２】
2018042652.tif 000014
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
コアシャフトと、
前記コアシャフトの外周に巻回されたコイル体と、
前記コイル体の外周を被覆し、太い外径を有する後端部と、前記後端部よりも先端側で前記コアシャフトと前記コイル体との間に位置し、前記後端部よりも細い外径を有する先端部と、前記後端部と前記先端部との間で先端側に向かって外径が縮径するテーパ部と、を有する樹脂層と、を備え、
前記先端部での前記コイル体は、前記樹脂層に被覆されておらず、露出しており、
前記樹脂層の前記先端部は、前記コアシャフトに固着され、
前記先端部の前記外径よりも太い外径を有する膨隆部が設けられていることを特徴とした、ガイドワイヤ。
【請求項２】
前記樹脂層の前記テーパ部と前記樹脂層の前記後端部との境界に、前記コアシャフトと前記コイル体と前記樹脂層とを固着する固着部を備えていることを特徴とした請求項１に記載のガイドワイヤ。
【請求項３】
前記コイル体は、複数の素線が螺旋状に巻回されて形成されており、
前記樹脂層の前記先端部は、横断面視において、前記コイル体の隣接する前記素線間に入り込んでいることを特徴とした請求項１又は請求項２に記載のガイドワイヤ。
【請求項４】
前記コイル体は、前記樹脂層の前記後端部に位置する細いコイル外径を有する小径部と、前記樹脂層の前記先端部に位置し、前記小径部よりも太いコイル外径を有する大径部と、前記樹脂層の前記テーパ部に位置し、先端側に向かってコイル外径が拡径する拡径部と、を有しており、
前記コイル体の前記大径部での前記コイル外径は、前記樹脂層の前記後端部での外径よりも大きくなっていることを特徴とした請求項１乃至請求項３の何れか一に記載のガイドワイヤ。
【国際調査報告】
2018042652.tif 000015
2018042652.tif 000016
2018042652.tif 000017